(57)【特許請求の範囲】
【請求項１】
コークス炉の炭化室に挿入し、内部から炭化室の底部煉瓦を補修する際に使用する断熱ボックスであって、
断熱ボックスの床面の一部若しくは全部を開口可能に構成すると共に、
前記床面位置の炉高方向の高さレベルを調整可能に構成したことを特徴とするコークス炉炭化室の補修用断熱ボックス。
【請求項２】
前記断熱ボックスを、炉長方向に接続可能に構成すると共に、
これら接続した断熱ボックス間を往来可能に構成したことを特徴とする請求項１に記載のコークス炉炭化室の補修用断熱ボックス。
【請求項３】
コークス炉炭化室の底部煉瓦を補修する方法であって、
請求項１の断熱ボックスを炭化室の底部煉瓦補修位置まで挿入した後、
断熱ボックスの床面の一部若しくは全部を開口して炭化室の底部煉瓦を補修することを特徴とするコークス炉の補修方法。
【請求項４】
コークス炉炭化室の底部煉瓦を補修する方法であって、
複数の請求項２の断熱ボックスを順次炭化室の底部煉瓦補修位置まで挿入した後にこれら断熱ボックス同士を連結し、
その後、これら断熱ボックスの床面の一部若しくは全部を開口して炭化室の底部煉瓦を補修することを特徴とするコークス炉の補修方法。
【請求項５】
炭化室の底部煉瓦補修位置まで挿入した後、
断熱ボックスの床面位置の炉高方向の高さレベルを、断熱ボックス挿入時の高さレベルを維持すべく固定することを特徴とする請求項３又は４に記載のコークス炉の補修方法。
【発明の詳細な説明】
【技術分野】
【０００１】
本発明は、コークス炉炭化室の、特に底部煉瓦の補修に適した断熱ボックス、及びこの断熱ボックスを用いた補修方法に関するものである。
【背景技術】
【０００２】
コークス炉は、石炭を装入してコークスに乾留するための炭化室と、炭化室に熱を供給するための燃焼室が交互に重層して配置されている。このようなコークス炉は、炭化室と燃焼室を仕切る側壁煉瓦（炭化室壁）をはじめとして、主に珪石煉瓦で構成された構造体であり、その寿命は３０〜５０年と言われている。
【０００３】
コークス炉では、乾留されたコークスは押出機によって排出され、再び石炭が装入されて次回の乾留が行われるが、これらが２０時間程度の周期で繰り返される。したがって、コークス排出時の機械的な摩擦や、１０００℃程度の高温の炉内雰囲気での長年の操業により、コークス炉を構成する前記煉瓦には経年的な劣化が発生し、最近は炭化室煉瓦の磨耗・欠損の進展が顕著となってきている。そこで、劣化への対応として、溶射補修や熱間での煉瓦積替補修を実施している。
【０００４】
コークス炉炭化室底部煉瓦の補修装置として、特許文献１が開示されている。この装置は、図６に示すように、モルタル１の入った箱２を炭化室３に挿入して炭化室３の底部煉瓦３ａ上を牽引し、箱２の中のモルタル１を磨耗・欠損した底部煉瓦３ａ上に散布するものである。
【特許文献１】実公平０７−７３０２号公報
【０００５】
この特許文献１で開示された装置は、溶射補修や熱間での煉瓦積替補修のような大掛かりな補修ではなく、簡便に炭化室の底部を補修できるという長所がある。しかしながら、補修箇所におけるモルタルの磨耗や剥離などにより、補修部の寿命が１年程度と短い。
【０００６】
炭化室底部の恒久的補修としては、築炉時とほぼ同様の状態となって、長期の寿命が期待できる、熱間での煉瓦積替補修が有効であるが、熱間での煉瓦積替補修は、主に炭化室壁について実施されているのみで、底部煉瓦の熱間での積替補修は行われていなかった。
【０００７】
ところで、コークス炉は、高さが６〜７m程度、長さが１４〜１６m程度に対して、幅が０．４m程度と、狭くて奥行きがある。ここで、コークス炉の幅方向とは、炭化室と燃焼室が重層する方向を、長さ方向とは、水平面において幅方向と垂直な方向を、高さ方向とは、幅方向及び長さ方向と垂直な、文字通りの高さの方向をいう。
【０００８】
したがって、炭化室底部の煉瓦積替補修時には、コークス炉の寸法を考慮しながら、炉内の暑熱を防ぎつつ作業可能なスペースを確保することが必要である。
コークス炉炭化室の煉瓦補修用に防熱を考慮された装置としては、従来から炭化室壁の積替を対象として、数多くの断熱ボックスが提案されている。なお、これらの装置は、防熱装置、断熱装置あるいは単に補修（用）装置などとも称されているが、上記したような寸法特性を有するコークス炉内に配置されるために箱型形状を有するので、本明細書では、以後も「断熱ボックス」と称する。
【０００９】
例えば特許文献２では、図７に示すような自立式の断熱ボックス４が開示されている。この断熱ボックス４を、補修対象の炭化室３に挿入し、断熱ボックス４の作業スペース４ａ内に冷風送気ダクト４ｂから冷気を送り込みながら、作業スペース４ａの作業用窓４ｃから新規煉瓦による差替え、積替え等の補修作業を行う。
【特許文献２】特開平０５−２３９４６２号公報
【００１０】
この特許文献２で開示された断熱ボックスは、炭化室壁（炭化室の炉壁）を補修するためのものであるため、炭化室底部の熱間での煉瓦積替補修に使用する場合は、以下に述べる不具合を生じる。
【００１１】
すなわち、特許文献２で開示された断熱ボックス４は、設置した時点において、図８のように炭化室３の底部煉瓦３ａの上に載っている状態である。したがって、炭化室３の底部煉瓦３ａを積み替える場合、先ず断熱ボックス４の床面４ｄを外した後に炭化室３の底部煉瓦３ａを解体し、その後に煉瓦積替を行うという手順となる。なお、図８中の５は燃焼室を示す。
【００１２】
このため、底部煉瓦を解体するに従って、断熱ボックスは、高さ方向の位置が低下することになって不安定な状態になる。また、断熱ボックスが接している部分については煉瓦の積替ができないので、補修が広い範囲に亘る場合は、底部煉瓦全体の積替ができないことになる。
【００１３】
この特許文献２が有する問題を解決する手段として、特許文献３には、図９に示すように、断熱ボックス４を上から吊るして補修する方法が開示されている。
【特許文献３】特開昭５６−１２５４８１号公報
【００１４】
この方法では、炭化室の底部煉瓦を解体することによる断熱ボックスの高さ方向位置の低下はないが、断熱ボックスを挿入する際に大型の台車が必要となり、装置全体として大型化するという欠点がある。
【００１５】
また図９に示すように、断熱ボックス４の挿入用台車６は、通常は炭化室３の窯口下部の作業デッキ７上に設置されるので、コークス炉操業に使用する押出車やガイド車の走行に干渉し、炭化室３の補修作業がコークス炉操業上の障害になることも考えられる。
【００１６】
そこで、コークス炉を補修する断熱ボックスをいくつかに分割して、簡便かつ短時間で炭化室内に設置できる装置が、特許文献４で開示されている。しかしながら、特許文献４に開示された装置も、炭化室壁の積替を対象とし、炭化室内へ挿入する際に底部煉瓦上にガイド板を敷設するので、やはり底部煉瓦の積替を実施することはできない。
【特許文献４】特開２０００−８０４４号公報
【発明の開示】
【発明が解決しようとする課題】
【００１７】
上記のように、炭化室の煉瓦積替補修に使用する従来の断熱ボックスは、炭化室壁の煉瓦積替を目的としたものであった。
【００１８】
このような断熱ボックスを、炭化室の底部煉瓦の積替補修用として使用する場合、上部から吊るす形式では、装置が必要以上に大きくなり、またコークス炉外からの断熱ボックスの挿入作業がコークス操業と干渉する。
【００１９】
一方、自立式の断熱ボックスでは、炭化室の底部煉瓦を解体する時に断熱ボックスの高さ方向の位置が低下し、またそのために煉瓦積替が不可能な範囲が発生する。
【００２０】
本発明が解決しようとする問題点は、従来の断熱ボックスを使用した炭化室の底部煉瓦積替補修では、上部から吊るす形式では、装置が必要以上に大きくなり、断熱ボックスの挿入作業がコークス操業と干渉する点である。また、自立式の場合は、炭化室の底部煉瓦解体時に断熱ボックスの高さ方向の位置が低下するために煉瓦積替不可能な範囲が発生するという点である。
【課題を解決するための手段】
【００２１】
第１の本発明のコークス炉炭化室の補修用断熱ボックスは、
自立式の断熱ボックスを使用した場合に、底部煉瓦の積替えが不可能な範囲を発生しないようにするために、
コークス炉の炭化室に挿入し、内部から炭化室の底部煉瓦を補修する際に使用する断熱ボックスであって、
断熱ボックスの床面の一部若しくは全部を開口可能に構成すると共に、
前記床面位置の炉高方向の高さレベルを調整可能に構成したことを最も主要な特徴としている。
【００２２】
本発明のコークス炉炭化室の補修用断熱ボックスにおいて、
前記断熱ボックスを、炉長方向に接続可能に構成すると共に、これら接続した断熱ボックス間を往来可能に構成した場合には、炭化室底部煉瓦の補修箇所が、断熱ボックスの長さよりも長くなった場合にも、底部煉瓦の補修が行える。これが第２の本発明の補修ボックスである。
【００２３】
コークス炉炭化室の底部煉瓦の補修部の長さが、補修ボックスの長さよりも短い場合に、前記第１の本発明のコークス炉炭化室の補修用断熱ボックスを使用して、コークス炉炭化室の底部煉瓦を補修する場合は、
断熱ボックスを炭化室の底部煉瓦補修位置まで挿入した後、
断熱ボックスの床面の一部若しくは全部を開口して炭化室の底部煉瓦を補修する。
これが第１の本発明のコークス炉の補修方法である。
【００２４】
一方、底部煉瓦の補修部の長さが、補修ボックスの長さよりも長い場合は、
複数の前記第２の本発明の断熱ボックスを順次炭化室の底部煉瓦補修位置まで挿入した後にこれら断熱ボックス同士を連結し、
その後、これら断熱ボックスの床面の一部若しくは全部を開口して炭化室の底部煉瓦を補修する。
これが第２の本発明のコークス炉の補修方法である。
【００２５】
これら第１、第２の本発明のコークス炉の補修方法においては、
炭化室の底部煉瓦の補修位置まで挿入した後、
断熱ボックスの床面位置の炉高方向の高さレベルを、断熱ボックス挿入時の高さレベルを維持すべく固定することが望ましい。
【発明の効果】
【００２６】
本発明によれば、コークス炉炭化室の底部煉瓦積替補修において、断熱ボックスと補修範囲が干渉することなく、円滑に補修を行うことが可能となった。
【発明を実施するための最良の形態】
【００２７】
以下、本発明を実施するための最良の形態例について、図１〜図５を用いて説明する。
図１は本発明の炭化室底部補修用断熱ボックスの機能イメージを示した図、図２は第１の本発明の炭化室底部補修用断熱ボックスの一例を示した図、図３は第２の本発明の炭化室底部補修用断熱ボックスの一例を示した図、図４は第１の本発明の断熱ボックスを使用した炭化室底部の補修方法の説明図、図５は第２の本発明の断熱ボックスを使用した炭化室底部の補修方法の説明図である。
【００２８】
ところで、コークス炉炭化室底部の煉瓦補修において、断熱ボックスを１個挿入するか２個以上挿入するかは、断熱ボックス１個当たりの長さ、補修する煉瓦の範囲と窯口からの位置に依存することは言うまでもない。
【００２９】
断熱ボックスの長さを長くすれば、断熱ボックスを１個だけ挿入して補修できる範囲が広がり、２個以上挿入する場合も挿入数を少なくできる。しかしながら、そもそも断熱ボックスの大型化は、前述したように、コークス炉操業に使用する押出車やガイド車の走行に干渉する問題点を生ずることから避けるべきである。
【００３０】
一方、断熱ボックスの長さを短くすれば柔軟な運用が可能であるが、挿入すべき断熱ボックスの数が増加して作業が煩雑になる。
したがって、断熱ボックスの使用に際しては、これらを勘案した上で、設備条件や補修内容に応じて適宜その長さを決定すればよく、この点は本発明の場合も同様である。
【００３１】
本発明の炭化室底部補修用断熱ボックス１１は、例えば図１に示すように、断熱ボックス１１の床面１１ａの中央部分を取外しが可能なように構成したことが特徴である。このように床面１１ａの中央部分を取外して床面１１ａに開口を設けることで、断熱ボックス１１内から炭化室の底部煉瓦の解体や煉瓦の積替えが行えるようになる。
【００３２】
また、床面１１ａの四隅には、例えば伸縮可能な支持脚１２を設置し、床面１１ａの炉高方向の高さ位置の調整が可能なように構成したことが特徴である。この支持脚１２の床面１１ａからの突出量を調整することで、炭化室の底部煉瓦を解体した際に、床面１１ａの炉高方向の高さ位置が低下して、煉瓦の積替えが困難若しくは不可能になることを防止できる。
【００３３】
本発明の炭化室底部補修用断熱ボックス１１に形成する床面１１ａの開口面積は、特に限定されないが、補修の容易化を考えれば、できるだけ広い範囲、可能であれば床面１１ａ全部を開口可能に構成することが望ましい。
【００３４】
床面１１ａ全部を開口可能に構成する場合、床面１１ａの高さ位置の調整機構は断熱ボックス１１の外側に設置することになるが、その場合も高さ位置の調整は断熱ボックス１１の内部から行えるようにすることは言うまでもない。
【００３５】
次に、本発明の断熱ボックス１１の詳細図を図２と図３に示す。
図２に示した断熱ボックスは、炭化室に単独で挿入する場合、もしくは複数挿入する場合の先頭の断熱ボックスとして使用するものである。
【００３６】
この図２に示した断熱ボックス１１では、前方部分には炭化室からの熱を遮断するための断熱ボード１１ｂと鉄板１１ｃが取付けられているが、作業員の出入りを可能にするため、後方部分には断熱ボードと鉄板は取付けられていない。なお、「前方」「後方」とは、断熱ボックスを炭化室の窯口から炉内に挿入する場合の進行方向を示しており、窯口の炉外から見て、「前方」が炉内奥側、「後方」は炉内手前側を示す。
【００３７】
一方、図３に示した断熱ボックスは、複数の断熱ボックスを炭化室に挿入する場合の先頭以降（２番目以降）に挿入する断熱ボックスとして使用するものである。
この図３に示した断熱ボックス１１では、作業員が通り抜けできるように、挿入方向に中空となっており、前方部分と後方部分には断熱ボードと鉄板が取付けられていない。
【００３８】
これら図２と図３に示した本発明の断熱ボックス１１は、直方体の骨組みとなる鋼製枠１１ｄの、前記した後方部分（図２）、或いは前方部分と後方部分（図３）に設けた開口部分と、床面１１ａを除いた表面部分を、断熱ボード１１ｂで覆っている。
【００３９】
また、本発明の断熱ボックス１１は、上部には炭化室の天井煉瓦落下対策用の天板１１ｅが取り付けられ、底部の４箇所には、車輪受け１１ｆを取付けて車輪１１ｇを設置し、断熱ボックス１の挿入および引出し時に円滑に移動できるようにしている。
【００４０】
そして、本発明では、図１で説明したように、炭化室の底部煉瓦の補修が可能なように、床面１１ａを取外し可能にし、底部煉瓦の解体時に床面位置の炉高方向の高さレベルの低下を防止するために、支持脚１２を床面１１ａの４箇所に設置している。
【００４１】
このような構成の本発明の断熱ボックス１１では、炭化室への挿入時（煉瓦の積替え前）や、炭化室からの引出し時（煉瓦の積替え後）は、断熱ボックス１１の円滑移動のため、支持脚１２は炭化室底部とは接触させない。
【００４２】
しかしながら、底部煉瓦を解体する際には、支持脚１２を伸ばして、床面位置の炉高方向の高さレベルを、前記炭化室への挿入時と略同じ高さに維持する必要がある。そのため、支持脚１２には複数のボルト孔１２ａを設け、鋼製枠１１ｄに設けたボルト孔に合致する前記ボルト孔１２ａを選択することで、支持脚１２の床面１１ａからの突出量を調整できるようにしている。なお、図２、３中の１３は前記ボルト孔１２ａに挿入するボルトである。
【００４３】
図２に示す断熱ボックス１１には、断熱ボックス１１を複数挿入する場合に断熱ボックス１１同士を接続するように、鋼製枠１１ｄの後方側にボルト孔１４ａが設けられた接続治具１４を設置している。
【００４４】
一方、図３に示す断熱ボックス１１には、鋼製枠１１ｄの前方側に、先に挿入した断熱ボックス１１と連結するためのボルト孔１１ｄａが設けられ、鋼製枠１１ｄの後方側にはボルト孔１４ａが設けられた接続治具１４を設置している。
【００４５】
次に、このような本発明の断熱ボックス１１を用いて、コークス炉炭化室底部を補修する方法について説明する。
【００４６】
先ず、断熱ボックス１１を１つ挿入してコークス炉の炭化室底部を補修する場合を図４に示す。
【００４７】
断熱ボックス１１を窯口から炭化室３内に挿入し、補修を実施するための所定位置に停止する。次に、断熱ボックス１１の床面１１ａを取り外して開口し、底部煉瓦の劣化部分を確認して、煉瓦を解体する部分３ｂを決定する（図４（ａ）参照）。
【００４８】
図４の例では、断熱ボックス１１の車輪１１ｇ直下の底部煉瓦も解体するので、底部煉瓦３ａの解体前に、支持脚１２を下方に伸ばして、解体しない煉瓦部分に接地させた状態で固定し、底部煉瓦３ａの解体時に断熱ボックス１１の床面位置の低下を防止する。
【００４９】
したがって、支持脚１２によって支持された断熱ボックス１２の床面位置の高さ方向のレベルは、概ね断熱ボックス１１の挿入時の床面１１ａの高さで、底部煉瓦３ａの解体作業の過程において変化することなく固定される必要がある。
【００５０】
以上の操作が完了した後は、炭化室３の底部煉瓦解体部分３ｂの煉瓦を解体し（図４（ｂ）参照）、その後、新規の煉瓦を積替えて、解体部分全体を底部煉瓦積み完了部３ｃとして煉瓦の積替えを完了する（図４（ｃ）参照）。
【００５１】
この補修完了時点では、再び車輪１１ｇが炭化室底部に接地しているので、支持脚１２を縮めて、断熱ボックス１１を炉外に引き出す。
【００５２】
次に、複数の断熱ボックス１１を挿入してコークス炉の炭化室底部を補修する場合を図５に示す。
この場合は、炭化室３に複数の断熱ボックス１１を挿入した後に、断熱ボックス１１同士を、接続治具１４を使用して連結する。
【００５３】
複数の断熱ボックス１１を炭化室３へ挿入する前に接続しておいたのでは、接続状態の断熱ボックス１１全体の長さが大きくなり、作業デッキに置くことができなくなるなどの問題を生じ、断熱ボックス１１を複数とした意味を失ってしまうからである。
【００５４】
断熱ボックス１１同士の連結は、複数の断熱ボックス１１を炭化室３に全部挿入してから連結しても、また２個目以降の断熱ボックス１１が炭化室３に挿入される毎に順次連結してもよい。
【００５５】
このようにして炭化室３に挿入した複数の断熱ボックス１１は、炉底の損傷（磨耗・欠損）した部分に載っているので、断熱ボックス１１の床面位置の高さレベルは、正規の炭化室底部に断熱ボックス１１が載っている場合よりも低くなっている（図５（ａ）参照）。
【００５６】
そのため、支持脚１２を伸ばすまでの作業は、図４で説明した場合と同様であるが、この場合は、補修箇所に位置する車輪１１ｇを取外した後に煉瓦積みを行うことになる（図５（ｂ）参照）。
【００５７】
そして、底部煉瓦３ａを積替えた後は底部煉瓦３ａの高さレベルが正規のレベルに戻るので、前記取外した車輪１１ｇを挿入することはサイズ的に難しいため、先に取り外した車輪１１ｇよりも小さいサイズの車輪１１ｇを設置する（図５（ｃ）参照）。
【００５８】
炭化室３の底部煉瓦３ａを積替えた後は断熱ボックス１１を引き出すが、この場合、断熱ボックス１１同士が接続治具１４で連結されているため、チェーンブロックやウィンチ等の装置を用いて連結された断熱ボックス１１全体を引き出すと良い。
【００５９】
以上説明したように、本発明の断熱ボックス１１を使用した場合、コークス炉炭化室３の底部煉瓦３ａの積替え補修を、補修が不可能な範囲を発生させることなく、容易に行うことができる。
【００６０】
上記の例は単なる一例であり、本発明は上記の例に限らず、各請求項に記載された技術的思想の範疇であれば、適宜実施の形態を変更しても良いことは言うまでもない。
【００６１】
例えば、図２に示した断熱ボックス１１では、構成枠１１ｄの後方に接続治具１４を設置しているが、単独での補修専用の断熱ボックス１１の場合は、この接続治具１４は不要である。
【００６２】
また、断熱ボックス１１の床面１１ａの一部のみを取外して開口する場合は、取り外さない床面１１ａ２は断熱ボード１１ｂを取付けても良い。
【図面の簡単な説明】
【００６３】
【図１】本発明の炭化室底部補修用断熱ボックスの機能イメージを示した図である。
【図２】第１の本発明の炭化室底部補修用断熱ボックスの一例を示した図で、（ａ）は正面図、（ｂ）は左側面図、（ｃ）は右側面図、（ｄ）は平面図、（ｅ）は下面図、（ｆ）は高さ調整機構の説明図である。なお、図２の断熱ボックスを先頭とし、図３の断熱ボックスを連結させることで、図２の断熱ボックスは、第２の本発明の先頭の断熱ボックスとなり得る。
【図３】（ａ）〜（ｅ）は第２の本発明の炭化室底部補修用断熱ボックスの一例（先頭の断熱ボックスに連結するタイプの断熱ボックス）を示した図１（ａ）〜（ｅ）と同様の図である。
【図４】（ａ）〜（ｃ）は第１の本発明の断熱ボックスを使用した炭化室底部の補修方法を、順を追って説明する図である。
【図５】（ａ）〜（ｃ）は第２の本発明の断熱ボックスを使用した炭化室底部の補修方法を、順を追って説明する図である。
【図６】特許文献１で開示された炭化室底部のモルタル補修装置のイメージを示した図である。
【図７】特許文献２で開示された炭化室壁補修用断熱ボックスの概略斜視図である。
【図８】炭化室内に図７で示した断熱ボックスを設置したイメージを示した図である。
【図９】特許文献３で開示されたレール吊り下げ式の断熱ボックスの炭化室挿入前のイメージを示した図である。
【符号の説明】
【００６４】
３    炭化室
３ａ    炉底
３ｂ    底部煉瓦解体部分
３ｃ    底部煉瓦積み完了部
１１    断熱ボックス
１１ａ    床面
１１ｄａ    ボルト孔
１２    支持脚
１２ａ    ボルト孔
１３    ボルト
１４    接続治具
１４ａ    ボルト孔
【図１】
0005050694.tif 000002
【図２】
0005050694.tif 000003
【図３】
0005050694.tif 000004
【図４】
0005050694.tif 000005
【図５】
0005050694.tif 000006
【図６】
0005050694.tif 000007
【図７】
0005050694.tif 000008
【図８】
0005050694.tif 000009
【図９】
0005050694.tif 000010